(57)【特許請求の範囲】
【請求項１】
垂直な正面壁を有する機械の基部を備え、該正面壁がコンソールアセンブリを備えるガラス容器の成形検査機械において、該コンソールアセンブリが、
底部にてヒンジ止め可能に接続され且つ頂部にて解放可能に接続された垂直なボックスの正面側半体及び後部側半体と、
ボックスの後部側半体を前記機械の基部に接続し、これにより、前記コンソールアセンブリを機械の基部から離れるように回動可能であるようにする垂直なヒンジ手段と、
コンソールスクリーンを有するコンソールユニットであって、ボックスの後部側半体の頂部に近接して頂部にてヒンジ止め可能に接続された前記コンソールユニットとを含み、
前記ボックスの正面側半体が、垂直に伸びる溝手段を備え、前記コンソールユニットの底部が前記溝手段に従動する従動子手段を有し、前記ボックスの正面側半体が、ボックスの後部側半体から離れて、ボックスの半体が閉じられる閉じ位置から開き位置に向けて回動されると、前記コンソールユニットが、閉じたボックスの正面側半体とボックスの後部側半体との間に配置された最初の位置からスクリーンが露出され且つ実質的に水平となる最終位置まで変位可能であるようにした、ガラス容器の成形検査機械。
【請求項２】
請求項１によるガラス容器の成形検査機械において、前記ボックスの正面側半体が、窓を有する正面側壁を備え、前記ボックスの正面側半体が前記ボックスの第二の半体（後部側半体）に対して閉じられたとき、前記コンソールユニットのスクリーンを見ることができるようにした、ガラス容器の成形検査機械。
【発明の詳細な説明】
【０００１】
【発明の属する技術分野】
本発明は、ガラス成形機械（ガラス容器を成形し且つ検査する機械）、より具体的には、かかる機械のオペレータコンソールに関する。
【０００２】
【従来の技術】
オペレータコンソールは、オペレータにとって便宜なものでなければならないが、機械の環境内の動くもの及びオペレータにぶつかることに起因する損傷を最小にし得るように可能な限り邪魔にならないものでなければならない。
【０００３】
【発明が解決しようとする課題】
従って、本発明の１つの目的は、オペレータにとって便宜であるが、可能な限り邪魔にならないコンソールを有するガラス成形機械を提供することである。
【０００４】
本発明のその他の目的及び有利な点は、特許法の規定に従い、本発明の原理を具体化する、現在の好ましい１つの実施の形態を示す、本明細書の以下の説明及び添付図面から明らかになるであろう。
【０００５】
【課題を解決するための手段】
本発明は、次のようなガラス容器の成形検査機械を提供することにより、上記の課題を解決するものである。
【０００６】
すなわち、垂直な正面壁を有する機械の基部を備え、該正面壁がコンソールアセンブリを備えるガラス容器の成形検査機械において、該コンソールアセンブリが、
底部にてヒンジ止め可能に接続され且つ頂部にて解放可能に接続された垂直なボックスの正面側半体及び後部側半体と、
ボックスの後部側半体を前記機械の基部に接続し、これにより、前記コンソールアセンブリを機械の基部から離れるように回動可能であるようにする垂直なヒンジ手段と、
コンソールスクリーンを有するコンソールユニットであって、ボックスの後部側半体の頂部に近接して頂部にてヒンジ止め可能に接続された前記コンソールユニットとを含み、
前記ボックスの正面側半体が、垂直に伸びる溝手段（例えば図２の溝４８）を備え、前記コンソールユニットの底部が前記溝手段に従動する従動子手段（例えば図２のピン４６）を有し、前記ボックスの正面側半体が、ボックスの後部側半体から離れて、ボックスの半体が閉じられる閉じ位置から開き位置に向けて回動されると、前記コンソールユニットが、閉じたボックスの正面側半体とボックスの後部側半体との間に配置された最初の位置からスクリーンが露出され且つ実質的に水平となる最終位置まで変位可能であるようにした、ガラス容器の成形検査機械である。
【０００７】
【発明の実施の形態】
ガラス検査機械は、該ガラス検査機械用の電子部品の幾つか（図示せず）を保持する基部１０を備えている。３つのアクセスパネル１２が基部の右正面側を閉じ、その３つのアクセスパネルのうち、最も右側のアクセスパネルは、多数の機械用ライト１６及びＭ．Ｓボタン１８を有している。コンソールアセンブリ２０が機械の基部１０の最も左側正面を閉じる。完成品の内径及び外径を測定する装置を含むことのできる多数の検査装置２４の下方を通過する瓶２２の円形の流れが機械の基部１０の頂部に概略図で図示されている。
【０００８】
コンソールアセンブリは、隣接する底端縁（図２）に沿って共にヒンジ止め（３４）された正面側半体３０及び後部側半体３２とを有する、２つの部分から成るボックスと、それら２つのボックス半体３０，３２の間で相互に接続されたコンソールユニット３８とを備えている。図２から理解し得るように、コンソールユニットの頂部３６（図４に図示するように、コンソールアセンブリの正面側半体３０及び後部側半体３２内に格納されている）は、その頂部に近接してボックスの後部側半体３２にヒンジ止め（上方枢動ピン４０）され、コンソールユニットの底部４２は、下方に伸びる一対のブラケット４４（１つを図示）を有しており、該一対のブラケットの各々は、ボックスの正面側半体３０の両側壁５０に画定された溝４８内に捕捉されたピン（従動子ピン）４６を支持している。ストラッツ５２が、コンソールユニットの側壁間を伸び、また、バイアスされて開放した空圧シリンダ５４が、ストラッツと、ボックスの後部側半体３２の後壁５６の底部に近接する位置との間を伸びている。
【０００９】
オペレータが、対向したノブ５５を握り且つボックスの正面側半体３０を空圧シリンダに対してボックスの後部側半体３２に向けて押すと、ボックスの正面側半体３０は、底部のヒンジ３４の周りで回動して、コンソールユニット３８は、ボックスの２つの部分が閉じられて、コンソールユニット３８がその閉じたボックス内で実質的に垂直となる迄、従動子ピン４６が溝４８内を下方に進むのに伴って、上方枢動ピン４０の周りを回動する。ボックスの後部側半体３２の拘束部６３が、ボックスの正面側半体３０に固着した一対の止めボール５８を経て押されるとき、２つのボックス半体３０，３２は、脱着可能に接続される。２つのボックス半体が接続されると、ボックスの正面側半体の窓部５９を通してコンソールのスクリーン５７を見ることができる。
【００１０】
図４から明らかであるように、コンソールユニットが機械の基部１０から離れる方向に回動して、機械の基部１０の正面側の全体に亙って進入路（アクセス）を提供し得るように、ボックスの後部側半体３２は機械の基部１０の支持柱６２にヒンジ止め（６０）されている。
【図面の簡単な説明】
【図１】オペレータコンソールが使用位置にある、ガラス成形検査機械の斜視図である。
【図２】図１に図示したコンソールの側面図である。
【図３】機械フレームから僅かに分離したコンソールの平面図である。
【図４】機械フレームへの取り付け状態を示す、コンソールの他端の側面図である。
【符号の説明】
１０  ガラス検査機械の基部      １２  アクセスパネル
２０  コンソールアセンブリ      ２２  瓶
２４  検査装置                  ３０  正面側半体
３２  後部側半体                  ３４  底部ヒンジ
３６  コンソールユニットの頂部  ３８  コンソールユニット
４０  上方枢動ピン              ４２  コンソールユニットの底部
４４  ブラケット                ４６  従動子ピン
４８  溝                        ５０  ボックスの正面側半体の両側壁
５２  ストラッツ                ５４  空圧シリンダ
５５  ノブ                      ５６  後部半体の後壁
５７  スクリーン                ５８  止めボール
５９  正面側半体の窓部          ６０  ヒンジ止め
６２  支柱                      ６３  後部半体の拘束部
【図１】
0003883835.tif 000002
【図２】
0003883835.tif 000003
【図３】
0003883835.tif 000004
【図４】
0003883835.tif 000005